(57)【要約】【課題】パーツが二種類となり、紛失する恐れがある。また、風等で突き飛ばされないためのウェートを別途設けなければならず不合理である。カラーコーン主部基筒を分割してなるもので、これもまた紛失する恐れがある。【解決手段】基板の中央に折り畳み可能な支持軸を設けると共に、上端を支持軸の先端に固着してなるスパイラル線を設け、このスパイラル線の外周を覆う布状の表示シートを設けてなるカラーコーン本体を取り付けてなることを特徴とする請求項１又は記載の収納式カラーコーン。【選択図】図３
2011007027.tif 000002
【特許請求の範囲】
【請求項１】
基台本体の中央に、カラーコーン本体を立設する円筒状の保持部を突設すると共に、両側に持ち運びのための取手を形設してなる基台を設けてなることを特徴とする収納式カラーコーン。
【請求項２】
取手が、取手本体に上下に突設したストッパーを設けてなることを特徴とする請求項１記載の収納式カラーコーン。
【請求項３】
中央に折り畳み可能な支持軸を設けると共に、上端を支持軸の先端に固着してなるスパイラル線を設け、このスパイラル線の外周を覆う布状の表示シートを設けてなるカラーコーン本体を取り付けてなることを特徴とする請求項１又は２記載の収納式カラーコーン。
【請求項４】
係止部を形設した円筒状の表示体を複数連設すると共に、中央に折り畳み可能な支持軸を設けてなるカラーコーン本体を取り付けてなることを特徴とする請求項１又は２記載の収納式カラーコーン。
【請求項５】
中央に折り畳み可能な支持軸を設け、この支持軸の先端に適当な幅を有するスパイラル体の上端を固着してなるカラーコーン本体を取り付けてなることを特徴とする請求項１又は２記載の収納式カラーコーン。
【請求項６】
上記請求項１、２、３、４又は５記載の収納式カラーコーンを開閉自在な箱内に収納してなることを特徴とする収納式カラーコーン。
【発明の詳細な説明】
【技術分野】
【０００１】  本発明は、収納式カラーコーンに関するものである。
【背景技術】
【０００２】  従来の技術として、立ち入り禁止、進入禁止、駐車禁止等の工事用保安器具として用いられるカラーコーンの於いて、角錐本体又は円錐本体を二つ折りにする縦方向の折曲線と下端縁に突出部を設け、二つ折り座板に同形の抜き孔を穿孔し、該座板の抜き孔の辺又は縁に沿って嵌合して組み立てられるように構成したことを特徴とする折り畳み式カラーコーンがある。（特許文献１参照）【０００３】  また、別の従来技術として、基板と、この基板に植立されたカラーコーン主部を構成するものであって上端近傍に外側が突条を内側が溝を形成する円周方向の膨出部を有する円錐台シェル状のカラーコーン主部基礎筒と、このカラーコーン主部基筒の上端部の内側にぴったり嵌み込み前記膨出部に弾発的に嵌合する膨出部を有し同じく円錐台シェル状のカラーコーン主部中間筒と、この中間筒を対し前記と同様の嵌合をする他の中間筒を介しまたは介することなく前記の中間筒または他の中間筒の上端に前記の嵌合と同様にして嵌合する円錐シェル状のカラーコーン主部先端筒とを具備したことを特徴とするカラーコーン。（特許文献２参照）
【先行技術文献】
【特許文献】
【０００４】
【特許文献１】  特開２００３−２０６５１５号  公報
【特許文献２】  実用新案公開  昭６２−３１１２７号  公報
【発明の概要】
【発明が解決しようとする課題】
【０００５】  上記前者においては、パーツが二種類となり、紛失する恐れがある。
また、風等で突き飛ばされないためのウェートを別途設けなければならず不合理である。【０００６】上記後者においても、カラーコーン主部基筒を分割してなるもので、これもまた紛失する恐れがある。【０００７】本発明は、このような従来の構成が有していた問題を解決しようとするものであり、ワンタッチで組立及び収納ができると共に、取手により持ち運びし易く、また、箱にいれることにより、整理・整頓できるものである収納式カラーコーンを提供することを目的とする。
【課題を解決するための手段】
【０００８】本発明は、上記問題を達成するため、基台本体の中央に、カラーコーン本体を立設する円筒状の保持部を突設すると共に、両側に持ち運びのための取手を形設してなる基台を設けてなる。
取手が、取手本体に上下に突設したストッパーを設けてなる。
中央に折り畳み可能な支持軸を設けると共に、上端を支持軸の先端に固着してなるスパイラル線を設け、このスパイラル線の外周を覆う布状の表示シートを設けてなるカラーコーン本体を取り付けてなる。
係止部を形設した円筒状の表示体を複数連設すると共に、中央に折り畳み可能な支持軸を設けてなるカラーコーン本体を取り付けてなる。
中央に折り畳み可能な支持軸を設け、この支持軸の先端に適当な幅を有するスパイラル体の上端を固着してなるカラーコーン本体を取り付けてなる。
上記請求項１、２、３、４又は５記載の収納式カラーコーンを開閉自在な箱内に収納してなることを特徴とする。
【発明の効果】
【０００９】１）、基台により、色々な目的に合わせたカラーコーン本体を取り付けられ、多目的に使用できると共に、持ち運びに便利である。
２）、取手にストッパーを設けることにより、手を傷つけることなく持ち運びできるものである。
３）、ウェート体と支持軸とスパイラル線と表示シートにより、支持軸の先端を掴み引き上げることによりカラーコーンを組み立てられることができると共に、支持軸を押し下げることにより収納することができ、現場での作業が簡単に行うことができるものである。
特に、表示シートは、別の色等に交換することができ、用途別・目的別に使用できるものである。
４）、円筒状の表示体を複数個連設し、折り畳み可能な支持軸により、先端の表示体を掴み引き上げ各表示体を連設することができ、また、先端の表示体を押し下げることにより下段の表示体の中にすべて収納できるもので、個々の表示体の色を変え、変化をつけることもできる。
５）、適当な幅を有するスパイラル体を有することにより、風が吹いても倒れることなく使用できるものであり、上記と同様に折り畳みで使用できるものである。
６）、箱内に収納することにより、整理・整頓ができ、出し入れが楽になるものである。
【図面の簡単な説明】
【００１０】
【図１】  本発明の収納式カラーコーンの基台の平面図。
【図２】  本発明の収納式カラーコーンの基台の正面図。
【図３】  本発明の第１実施例を示す収納式カラーコーンの一部縦断正面図。
【図４】  本発明の第１実施例を示す収納式カラーコーンの折り畳んだ状態の一部縦断正面図。
【図５】  本発明の第１実施例を示す収納式カラーコーンの平面図。
【図６】  本発明の第２実施例を示す収納式カラーコーンの一部縦断正面図。
【図７】  本発明の第２実施例を示す収納式カラーコーンの折り畳んだ状態の一部縦断正面図。
【図８】  本発明の第３実施例を示す収納式カラーコーンの一部縦断正面図。
【図９】  本発明の第３実施例を示す収納式カラーコーンの折り畳んだ状態の一部縦断正面図。
【図１０】  本発明の第４実施例を示す収納式カラーコーンの正面図。
【発明を実施するための形態】
【００１１】本発明の収納式カラーコーンの基台の説明を行う。
１は、カラーコーン本体を取り付けるための基台で、平面四角形状の基台本体１ａの中央に、後述するカラーコーン本体を立設する円筒状の保持部１ｂを突設すると共に、両側に持ち運びのための取手１ｃを形設してなるもので、取手１ｃは、略口の字形の取手本体１ｃ１に上下に突設した棒状のストッパー１ｃ２を突設してある。
【００１２】本発明の第１実施例を示す収納式カラーコーンの説明をする。
収納式カラーコーン２は、上記基台１の保持部１ｂ内に着脱自在（固定でもよい）に取り付けるカラーコーン本体３から構成され、構成部材は以下のとおりとなる。
３ａは、上記保持部１ｂ内に内設する基板３ｂの中央に折り畳み可能（アンテナ形状）な支持軸であり、頂部にキノコ形の支持部３ａ１を設けてある。
３ｃは、上記支持軸３ａの先端に、上端を固着してなるスパイラル線である。
３ｄは、上記スパイラル線３ｃの外周を覆う布状の表示シートで、上端を上記支持部３ａ１に固着（必要に応じて固着しなくてもよい）すると共に、下端外周内に凹凸テープ３ｄ１を設けてある。
なお、表面は赤色・黄色・トラ柄（黒色と黄色）等、必要に応じて決めればよい。また、基台１上には上記凹凸テープ３ｄ１に対応する位置に凹凸テープ４ａを設けたウェート板４を設けてある。
【００１２】上記収納式カラーコーン２の使用例について述べる。
所要の場所に収納式カラーコーン２を置き、支持部３ａ１を掴み引き上げることにより支持軸３ａが伸びると同時にスパイラル線３ｃ及び表示シート３ｄを略円錐形状に形成することができるもので、必要に応じて凹凸テープ３ｄ１により色々なタイプを取り付けることができるものである。
また、支持軸３ａを押し下げることにより、支持軸３ａが折り畳まれると同時にスパイラル線３ｃが保持部１ｂ内に収納され、表示シート３ｄが折り畳まれる。
【００１３】第２実施例の収納式カラーコーン２２について説明する。
収納式カラーコーン２２は、上記と同様に、基台１の保持部１ｂ内に着脱自在（固定でもよい）に取り付けるカラーコーン本体２３から構成される。
カラーコーン本体２３は、係止部２３ｄ１を形設した円筒状の表示体２３ｄを段階的に複数連設すると共に、基板２３ｂの中央に折り畳み可能な支持軸２３ａを設けてなるものである。
なお、同様に同形のウェート板２４を設けてある。
【００１４】上記収納式カラーコーン２２の使用例としては、先端の表示体２３ｄを掴み引き上げることにより各表示体２３ｄを連設することができ、収納する時は逆に押し下げればコンパクトに収納できる。
【００１５】第３実施例の収納式カラーコーン３２について説明する。
収納式カラーコーン本体３２は、上記と同様に、基台１の保持部１ｂ内に着脱自在（固定でもよい）に取り付けるカラーコーン本体３３から構成される。
カラーコーン本体３３は、基板３３ｂの中央に折り畳み可能な支持軸３３ａを設け、この支持軸３３ａの先端に適当な幅Ｈ（３ｃｍ〜５ｃｍ位）を有するスパイラル体３３ｃの上端を固着してなるもので、スパイラル体３３ｃの表面には赤色や黄色等、必要に応じて決めればよい。
同様に、同形のウェート板３４を設けてある。
【００１６】上記各実施例の収納式カラーコーン２・２２・３２において、移動させる場合においては基台１の取手１ｃのストッパー１ｃ２より手（指）を入れることによりスムーズに取手本体１ｃ１を握ることができる。
【００１７】第４実施例の収納式カラーコーン４２は，上記各実施例の収納式カラーコーン２・２２・３２を収納すべく、開閉自在な箱５を設けてなるものである。
【００１８】上記実施例において、各部位の材質は特に限定とするものではない。
また、各部位のサイズは必要に応じて決めればよい。
さらに、支持軸にＬＥＤ等の光源を付設することにより、夜間その場所が分かるようにしたり、鈴等を設け、接触した時に音が出るようにし、危険等を知らせる形態も一考である。
さらにまた、基台の保持部分に孔を開け、その中にＬＥＤ等の光源を入れ光らせることにより夜間注意を促すことができる。
なお、基板に直接支持軸を設けるのではなく、基台の保持部の中心に支持軸を固定する固定部を設けるのも一考である。
【符号の説明】
【００１９】１−−−収納式カラーコーン基台
１ａ−−基台本体
１ｂ−−保持部
１ｃ−−取手
１ｃ１−取手本体
１ｃ２−ストッパー
２−−−収納式カラーコーン
３−−−カラーコーン本体
３ａ−−支持軸
３ａ１−支持部
３ｂ−−基板
３ｃ−−スパイラル線
３ｄ−−表示シート
３ｄ１−凹凸テープ
４−−−ウェート板
４ａ−−凹凸テープ
５−−−箱
Ｄ−−−光源
２２−−収納式カラーコーン
２３−−カラーコーン本体
２３ａ−支持軸
２３ｂ−基板
２３ｄ−表示体
２３ｄ１−係止部
２４−−ウェート板
３２−−収納式カラーコーン
３３−−カラーコーン
３３ａ−支持軸
３３ｂ−基板
３３ｃ−スパイラル体
３４−−ウェート板
４２−−収納式カラーコーン
【図１】
2011007027.tif 000003
【図２】
2011007027.tif 000004
【図３】
2011007027.tif 000005
【図４】
2011007027.tif 000006
【図５】
2011007027.tif 000007
【図６】
2011007027.tif 000008
【図７】
2011007027.tif 000009
【図８】
2011007027.tif 000010
【図９】
2011007027.tif 000011
【図１０】
2011007027.tif 000012